【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
指をかける把手本体と、
扉の背面に固定される後壁固定部と、
取り付けられる扉の上端面よりも奥行きの短い上端取付部と、を備え、
水の流入を防止する防水手段を備えたことを特徴とするライン把手。
【請求項２】
前記上端取付部の前記扉の上端面に相対する面には凹部が形成され、
前記凹部に防水手段が配置されていることを特徴とする請求項１に記載のライン把手。
【請求項３】
前記凹部と前記後壁固定部が段差なく形成されていることを特徴とする請求項２に記載のライン把手。
【請求項４】
前記上端取付部が前記後壁固定部に対して、水平方向より下方に傾斜してなることを特徴とする請求項１乃至３のいずれか１項に記載のライン把手。
【請求項５】
前記防水手段は弾性部材からなるパッキンであることを特徴とする請求項１乃至４の何れか一項に記載のライン把手。
【請求項６】
指をかける把手本体と、
扉の背面に固定される後壁固定部と、
取り付けられる扉の上端面よりも奥行きの短い上端取付部と、を備え、
前記上端取付部の前記扉の上端面に相対する面に、パッキンを装着可能な凹部を備えたことを特徴とするライン把手。
【請求項７】
ライン把手を扉に取り付けるライン把手の取付け構造であって、
前記ライン把手は、指をかける把手本体と、
扉の背面に固定される後壁固定部と、
扉の上端面に取り付けられる上端取付部と、を備え、
前記上端取付部は、前記扉の上端面の奥行きよりも短く、
前記上端取付部と前記扉の上端面との間に、水の流入を防止する防水手段を備えたことを特徴とするライン把手の取付け構造。
【請求項８】
前記防水手段は、前記上端取付部と前記扉の上端面との間に介在することを特徴とする請求項７に記載のライン把手の取付け構造。
【請求項９】
前記上端取付部には凹部が形成され、
前記凹部と前記扉の上端面との間に防水手段が配置されていることを特徴とする請求項８に記載のライン把手の取付け構造。
【請求項１０】
前記防水手段は弾性部材からなるパッキンであることを特徴とする請求項７乃至９の何れか一項に記載のライン把手の取付け構造。
【手続補正２】
【補正対象書類名】明細書
【補正対象項目名】発明の名称
【補正方法】変更
【補正の内容】
【発明の名称】ライン把手およびその取付け構造
【手続補正３】
【補正対象書類名】明細書
【補正対象項目名】０００６
【補正方法】変更
【補正の内容】
【０００６】
上記のような課題を解決するための請求項１記載の発明によれば、指をかける把手本体と、扉の背面に固定される後壁固定部と、取り付けられる扉の上端面よりも奥行きの短い上端取付部と、を備え、水の流入を防止する防水手段を備えたことを特徴とするライン把手が提供される。
これによれば、扉の厚みに関係なく装着できながら、ライン把手や扉の前面に飛散した水滴が浸水することを防止することができる。
【手続補正４】
【補正対象書類名】明細書
【補正対象項目名】０００７
【補正方法】変更
【補正の内容】
【０００７】
また、請求項２記載の発明によれば、前記上端取付部の前記扉の上端面に相対する面には凹部が形成され、前記凹部に防水手段が配置されていることを特徴とする請求項１に記載のライン把手が提供される。
これによれば、上端取付部に凹部を設けることによって、効率的に防水手段を配置することが可能となる。
【手続補正５】
【補正対象書類名】明細書
【補正対象項目名】０００８
【補正方法】変更
【補正の内容】
【０００８】
また、請求項３記載の発明によれば、前記凹部と前記後壁固定部が段差なく形成されていることを特徴とする請求項２に記載のライン把手が提供される。
これによれば、前記凹部から前記後壁固定部が段差なく形成されていることによって、パッキンなどの防水手段が前方へはみ出ることを防止できる。
【手続補正６】
【補正対象書類名】明細書
【補正対象項目名】００１１
【補正方法】変更
【補正の内容】
【００１１】
また、請求項６記載の発明によれば、指をかける把手本体と、扉の背面に固定される後壁固定部と、取り付けられる扉の上端面よりも奥行きの短い上端取付部と、を備え、前記上端部の前記扉の上端面に相対する面に、パッキンを装着可能な凹部を備えたことを特徴とするライン把手が提供される。
これによれば、防水手段を設けやすいライン把手を提供することができる。
【手続補正７】
【補正対象書類名】明細書
【補正対象項目名】００１２
【補正方法】変更
【補正の内容】
【００１２】
また、請求項７記載の発明によれば、ライン把手を扉に取り付けるライン把手の取付け構造であって、前記ライン把手は、指をかける把手本体と、扉の背面に固定される後壁固定部と、扉の上端面に取り付けられる上端取付部と、を備え、前記上端取付部は、前記扉の上端面の奥行きよりも短く、前記上端取付部と前記扉の上端面との間に、水の流入を防止する防水手段を備えたことを特徴とするライン把手の取付け構造が提供される。
これによれば、ライン把手と扉の間に防水手段を備えることにより、扉の厚みに関係なく装着できながら、ライン把手や扉の前面に飛散した水滴が浸水することを防止することができる。
【手続補正８】
【補正対象書類名】明細書
【補正対象項目名】００１３
【補正方法】変更
【補正の内容】
【００１３】
また、請求項８記載の発明によれば、前記防水手段は、前記上端取付部と前記扉の上端面との間に介在することを特徴とする請求項７に記載のライン把手の取付け構造が提供される。
これにより、扉自身の重量を利用してより効率的に浸水を防止することが可能となる。
【手続補正９】
【補正対象書類名】明細書
【補正対象項目名】００１４
【補正方法】変更
【補正の内容】
【００１４】
また、請求項９記載の発明によれば、前記上端取付部には凹部が形成され、前記凹部と前記扉の上端面との間に防水手段が配置されていることを特徴とする請求項８に記載のライン把手の取付け構造が提供される。
これによれば、上端取付部に凹部を設けることによって、効率的に防水手段を配置することが可能となる。
【手続補正１０】
【補正対象書類名】明細書
【補正対象項目名】００２７
【補正方法】変更
【補正の内容】
【００２７】
図７は本発明の第四の実施例における扉２に取り付けられたライン把手１を示す側面図である。
第四の実施例においては、ライン把手１の後壁固定部８の一部にパッキン嵌合溝６が形成されている。そして、このパッキン嵌合溝６と扉２の扉後壁９との間でパッキン７が圧縮変形され、密着した状態となっている。
扉２の扉上端面４が十分に防水性能を確保している場合には、第四の実施例のように、扉２の扉後壁９で水の侵入を防ぐ構造としてもよい。この場合、ライン把手２の前方にパッキン７がはみ出す恐れがなくなる。このようにパッキン７を装着する場所は扉上端面４に限らず、水の侵入を防げる場所であればどこでもよい。
【手続補正１１】
【補正対象書類名】明細書
【補正対象項目名】００２８
【補正方法】変更
【補正の内容】
【００２８】
図８は本発明の第五の実施例における扉２に取り付けられたライン把手１を示す側面図である。
第五の実施例においては、扉上端面４に扉突起部１０が、ライン把手１の上端取付け部５の一部にライン把手凹部１１がそれぞれ形成されている。ライン把手１を扉２に取り付けた状態では、ライン把手凹部１１の間に扉突起部１０が挿入される形となり、上端取付け部５と扉突起部１０の間には空隙１２が形成される。この空隙１２にパッキン７が配置されている。このとき、前述のようにライン把手１はその後壁固定部８が扉後壁９にネジ止め固定されるため、空隙１２に配置されたパッキン７は扉突起部１０とライン把手凹部１１の前端によって前後方向から力が加わることとなり、圧縮変形した状態で密着されることとなる。
このように、パッキン７を圧縮する力は上下方向だけでなく、前後方向にかけてもよい。
【手続補正１２】
【補正対象書類名】図面
【補正対象項目名】図３
【補正方法】変更
【補正の内容】
【図３】
2010167276.tif 000001
【手続補正１３】
【補正対象書類名】図面
【補正対象項目名】図７
【補正方法】変更
【補正の内容】
【図７】
2010167276.tif 000002
【手続補正１４】
【補正対象書類名】図面
【補正対象項目名】図８
【補正方法】変更
【補正の内容】
【図８】
2010167276.tif 000003